(57)【要約】【目的】入力ＡＣ電圧幅が大きくても消磁回路に流れる電流変動幅を狭めて消磁効果の劣化を防止することができる消磁電流制御回路を提供する。【構成】第２ＯＦＦ回路２における抵抗Ｒ６・Ｒ７及びコンデンサＣ２による充電時間（ＡＣ電圧判定回路３の判定所要時間に対応）後にトランジスタＱ２はＯＮし、消磁回路ＯＮ／ＯＦＦリレーＲＬ２の導通状態が形成され、消磁回路はＯＮとなる。ＡＣ電圧判定回路３において、ツェナーダイオードＤ２への印加ＤＣ電圧がツェナー電位を越えると、トランジスタＱ１はＯＮし、抵抗短絡用ＡＣリレーＲＬ１の導通状態が形成され、消磁電流制限用抵抗Ｒ９の介在状態が形成される。ツェナー電位を越えないときは、抵抗Ｒ９の短絡状態が形成される。【選択図】　　　　　　　　図２
2004088184.tif 000002
【特許請求の範囲】
【請求項１】
サーミスタと消磁用コイルとから成る消磁回路に流れる電流を制御する消磁電流制御回路であって、入力電圧が所定レベルより高いかどうかを判定する判定回路と、前記消磁回路に直列接続された電流制限抵抗と、入力電圧が低いと判定されたときには電流制限抵抗を短絡させ、入力電圧が高いと判定されたときには電流制限抵抗を短絡させないように制御する制御回路と、を備えたことを特徴とする消磁電流制御回路。
【請求項２】
請求項１に記載の消磁電流制御回路において、入力電圧を判定するのに必要とされる時間、消磁回路への通電をＯＦＦする手段を備えたことを特徴とする消磁電流制御回路。
【発明の詳細な説明】
【０００１】
【産業上の利用分野】
この発明は、ＣＲＴ（ｃａｔｈｏｄｅ・ｒａｙ・ｔｕｂｅ）の着磁を軽減する消磁回路に流れる電流を制御する消磁電流制御回路に関する。
【０００２】
【従来の技術】
ＴＶ受像機、映像モニタ、ＰＣモニタなどに用いられるＣＲＴとして、近年においては、フラット型ＣＲＴが多く用いられるようになってきている。フラット型ＣＲＴは、従来の球面タイプＣＲＴに比較して、その構造上、地磁気の影響を受け易くなり、いわゆる色むら現象が発生しがちとなる。このため、フラット型ＣＲＴは、従来型ＣＲＴに比べて消磁効果を高くするため、磁気シールド材料や構造の工夫がなされている。しかし、このフラット型ＣＲＴの磁気シールド効果を十分引き出すためには、より大きな消磁能力（ＡＴ：アンペアターン）が必要となっている。
【０００３】
消磁回路は、ＰＴＣ（Ｐｏｓｉｔｉｖｅ　Ｔｅｍｐｅｒａｔｕｒｅ　Ｃｏｅｆｆｉｃｉｅｎｔ）サーミスタと消磁コイルとによって構成される。ＰＴＣサーミスタにＡＣ電流が流れると、ＰＴＣサーミスタは自己発熱によって急速に自己抵抗値を増大させ、消磁コイルによって消磁用減衰磁界を発生させる。
【０００４】
【発明が解決しようとする課題】
ＡＣ電圧が例えば１００Ｖで安定して供給される地域では、消磁回路に流れ込むＡＣ電流は常に一定であり、特に問題は生じないが、地域によってはＡＣ電源事情の関係から、ＴＶセットとして９０Ｖ〜２７０Ｖ（ワイド電源）まで消磁効果も含めて動作保証をしなければならない場合がある。
【０００５】
しかしながら、消磁用ＰＴＣサーミスタと消磁コイルのみを利用して成る消磁回路では、常温時の総合抵抗値が一定のため、ＡＣ９０Ｖと２７０Ｖでは、消磁回路に流れ込む電流に３倍の差が発生する。つまり、ＰＴＣサーミスタの性質上、入力ＡＣ電圧が高くなるにしたがって、急速に電流が減衰してしまうため、ＣＲＴに対して十分な消磁効果を与えることができない。また、高いＡＣ電圧においてＣＲＴに着磁現象が発生しないようにすると、低ＡＣ電圧の消磁能力を犠牲にした消磁回路設計になってしまう。
【０００６】
この発明は、上記の事情に鑑み、入力ＡＣ電圧幅が大きくても消磁回路に流れる電流変動幅を狭めて消磁効果の劣化を防止することができる消磁電流制御回路を提供することを目的とする。
【０００７】
【課題を解決するための手段】
この発明の消磁電流制御回路は、上記課題を解決するために、サーミスタと消磁用コイルとから成る消磁回路に流れる電流を制御する消磁電流制御回路であって、入力電圧が所定レベルより高いかどうかを判定する判定回路と、前記消磁回路に直列接続された電流制限抵抗と、入力電圧が低いと判定されたときには電流制限抵抗を短絡させ、入力電圧が高いと判定されたときには電流制限抵抗を短絡させないように制御する制御回路と、を備えたことを特徴とする。
【０００８】
上記の構成であれば、入力電圧が低いときには電流制限抵抗の短絡状態が形成され、入力電圧が高いときには電流制限抵抗は短絡されずに消磁回路において活かされることになるから、入力電圧幅が大きくても消磁回路に流れる電流変動幅が狭められて消磁効果の劣化が防止される。
【０００９】
入力電圧を判定するのに必要とされる時間、消磁回路への通電をＯＦＦする手段を備えるのがよい。これにより、入力電圧が判定されるまでに消磁回路に電流が流れてしまうことによる不具合を防止することができる。
【００１０】
【発明の実施の形態】
以下、この発明の実施形態を図１及び図２に基づいて説明する。図１は消磁電流制御回路を示したブロック図であり、図２は消磁電流制御回路の具体的回路構成を示した回路図である。
【００１１】
ＰＴＣサーミスタＰＳ１と消磁コイルＬ１とによって消磁回路が構成される。第１ＯＦＦ回路１は、規定時間後に消磁回路をＯＦＦさせる回路であり、ＰＴＣサーミスタＰＳ１に継続的に電流を流さないことによって省エネルギー化を図っている。消磁回路ＯＮ／ＯＦＦリレーＲＬ２は、消磁回路を動作状態又は非動作状態にするためのリレーである。第１ＯＦＦ回路１及び消磁回路ＯＮ／ＯＦＦリレーＲＬ２は従来においても用いられているものである。この発明の消磁電流制御回路は、消磁回路に直列接続された消磁電流制限用抵抗Ｒ９、この抵抗Ｒ９に並列接続された抵抗短絡用ＡＣリレーＲＬ１、ＡＣ電圧判定回路３、及び第２ＯＦＦ回路２によって構成される。第２ＯＦＦ回路２はＡＣ電圧判定に要する時間だけ消磁回路をＯＦＦさせる回路である。
【００１２】
図２に示しているように、ＡＣ入力はダイオードＤ１及びコンデンサＣ１から成る整流回路によって整流され、抵抗Ｒ１・Ｒ２の抵抗比と入力ＡＣ電圧とによって定まる電圧値のＤＣ電圧が消磁回路や消磁電流制御回路に供給されるようになっている。
【００１３】
第２ＯＦＦ回路２を構成するＮＰＮトランジスタＱ２は、エミッタ接地されており、そのベースに抵抗Ｒ６・Ｒ７及びコンデンサＣ２を介して前記ＤＣ電圧を受ける。前記抵抗Ｒ６の一端側は前記整流回路に接続され、抵抗Ｒ７及びコンデンサＣ２の一端側は接地されている。ＮＰＮトランジスタＱ２は、そのベースに動作電圧がかかるまでは動作できず、この動作電圧は前記抵抗Ｒ６・Ｒ７及びコンデンサＣ２による充電時間（時定数）後に得られる。この充電時間はＡＣ電圧判定回路３によるＡＣ電圧判定に要する時間に合わせている。ＮＰＮトランジスタＱ２がＯＮすると、そのコレクタに接続されている消磁回路ＯＮ／ＯＦＦリレーＲＬ２の導通状態が形成され、消磁回路はＯＮとなり得る状態となる。
【００１４】
ＡＣ電圧判定回路３を構成するＮＰＮトランジスタＱ１は、エミッタ接地されており、そのベースに抵抗Ｒ４・Ｒ５及びツェナーダイオードＤ２を介して前記ＤＣ電圧を受ける。このＤＣ電圧がツェナー電位を越えると、ベースに動作電圧が印加されることになり、ＮＰＮトランジスタＱ１はＯＮする。ＮＰＮトランジスタＱ１がＯＮすると、そのコレクタに接続されている抵抗短絡用ＡＣリレーＲＬ１の導通状態が形成され（スイッチ動作としては開状態）、消磁電流制限用抵抗Ｒ９を活かす状態が形成される。一方、ＤＣ電圧がツェナー電位を越えない場合は、ベースには動作電圧が印加されず、ＮＰＮトランジスタＱ１はＯＦＦとなる。ＮＰＮトランジスタＱ１がＯＦＦすると、そのコレクタに接続されている抵抗短絡用ＡＣリレーＲＬ１は導通できず（スイッチ動作としては閉状態）、消磁電流制限用抵抗Ｒ９の短絡状態が形成される。
【００１５】
抵抗短絡用ＡＣリレーＲＬ１の導通／非導通が決定された後、第２ＯＦＦ回路２のＮＰＮトランジスタＱ２がＯＮし消磁回路ＯＮ／ＯＦＦリレーＲＬ２の導通状態が形成され（スイッチ動作としては閉状態）、消磁回路はＯＮとなる。
【００１６】
ここで、入力ＡＣ電圧に９０Ｖ〜２７０Ｖの幅があるとし、ツェナーダイオードＤ２のツェナー電位を電圧１８０Ｖに対応させているとしたら、９０Ｖ〜１８０Ｖまでの９０Ｖ範囲では抵抗短絡状態となり、１８０Ｖ〜２７０Ｖまでの９０Ｖ範囲では抵抗介在状態となる。消磁電流制限用抵抗Ｒ９の介在状態における消磁回路電流値を入力ＡＣ電圧９０Ｖ〜１８０Ｖ時の電流値に相当するように設定しておけば、入力ＡＣ電圧９０Ｖ〜１８０Ｖ時と入力ＡＣ電圧１８０Ｖ〜２７０Ｖ時とで同程度の電流が消磁回路に流れることになり、消磁回路に流れる電流の変動幅は９０Ｖ幅に対応した範囲に狭められることになる。
【００１７】
消磁回路がＯＮとされてから規定時間後に、第１ＯＦＦ回路１によって消磁回路がＯＦＦされる。すなわち、ツェナーダイオードＤ３を介してコンデンサＣ３及び抵抗Ｒ８による充電が行われる時間（規定時間）においては、ＰＮＰトランジスタＱ３はＯＮであり、この充電時間が経過すると、ＰＮＰトランジスタＱ３はＯＦＦとなり、消磁回路ＯＮ／ＯＦＦリレーＲＬ２が非導通状態となり、消磁回路はＯＦＦとなり、消費電力が低減される。
【００１８】
以上説明したように、入力ＡＣ電圧に例えば９０Ｖ〜２７０Ｖのごとく大きな幅がある場合でも、この入力電圧を判定して消磁電流制限用抵抗Ｒ９の介在状態と短絡状態を切り替えるようにしたので、消磁回路に流れる電流の変動幅を狭めて消磁効果の劣化を防止することができる。また、入力ＡＣ電圧の高低を判定するまでに、消磁回路が動作してしまうと、瞬時にＰＴＣサーミスタＰＳ１にＡＣ電流が流れてしまうが、このとき、図２の構成では入力ＡＣ電圧が高いにもかかわらず消磁電流制限用抵抗Ｒ９の短絡状態が当初形成されることになり、入力ＡＣ電圧が高い場合、十分な消磁電流が得られないことになるが、この実施形態においては、ＡＣ電圧判定に要する時間、第２ＯＦＦ回路２によって消磁回路をＯＦＦさせるようにしたので、かかる不具合を防止することができる。なお、上記の例では、入力ＡＣ電圧が高いときに抵抗短絡用ＡＣリレーＲＬ１がＯＮ（スイッチ動作としては開状態）とする回路設計としたが、入力ＡＣ電圧が低いときにリレーがＯＮ（スイッチ動作としては閉状態）して短絡状態を形成する回路設計としてもよいものである。
【００１９】
【発明の効果】
以上説明したように、この発明によれば、入力電圧が低いときには電流制限抵抗の短絡状態が形成され、入力電圧が高いときには電流制限抵抗の介入状態が形成されるから、入力電圧幅が大きくても消磁回路に流れる電流変動幅を狭めて消磁効果の劣化を防止することができる。また、入力電圧を判定するのに必要とされる時間、消磁回路への通電をＯＦＦする手段を備える構成であれば、入力電圧が判定されるまでに消磁回路に電流が流れてしまうことによる不具合を防止することができる。
【図面の簡単な説明】
【図１】この発明の実施形態の消磁電流制御回路を示したブロック図である。
【図２】図１の消磁電流制御回路の具体例を示した回路図である。
【符号の説明】
１　　第１ＯＦＦ回路
２　　第２ＯＦＦ回路
３　　ＡＣ電圧判定回路
ＰＳ１　消磁用ＰＴＣサーミスタ
Ｌ１　　消磁コイル
ＲＬ１　抵抗短絡用ＡＣリレー
ＲＬ２　消磁回路ＯＮ／ＯＦＦリレー
Ｒ９　　消磁電流制限用抵抗
【図１】
2004088184.tif 000003
【図２】
2004088184.tif 000004